(57)【要約】      （修正有）【課題】経年変化等による防音材の変容で吸気孔が閉塞しない構造とすることで、通風経路が確保でき電装部品が放熱される空気調和機の室外機を提供する。【解決手段】外胴と、外胴の内部に配置され防音材５３が巻かれた圧縮機５１およびまたはアキュムレータ５２と、外胴の内部の上部に配置された電装品ユニット６を有し、外胴には電装品ユニット６を放熱するための外気Ｓ１を取り込む吸気孔３１を設け、吸気孔３１の両脇には、外胴の内部に向かって突出する絞り部３２を設ける。【選択図】図３
2017106687.tif 000002
【特許請求の範囲】
【請求項１】
外胴と、前記外胴の内部に配置され防音材が巻かれた圧縮機およびまたはアキュムレータと前記外胴の内部の上部に配置された電装品ユニットを有し、前記外胴には前記電装品ユニットの発熱を放熱するための通風経路に外気を取り込む吸気孔を設けた空気調和機の室外機において、前記吸気孔の両脇には、前記外胴の内部に向かって突出する絞り部を設けたことを特徴とする空気調和機の室外機。
【請求項２】
前記絞り部は上下方向に延在し、前記絞り部は前記外胴の内部に前記吸気孔よりも突出していることを特徴とする請求項１に記載の空気調和機の室外機。
【請求項３】
前記絞り部の高さは前記吸気孔の高さよりも長く形成されることを特徴とする請求項１または３に記載の空気調和機の室外機。
【請求項４】
前記絞り部の高さは前記防音材の高さよりも長く形成されることを特徴とする請求項１または３に記載の空気調和機の室外機。
【発明の詳細な説明】
【技術分野】
【０００１】
本発明は空気調和機の室外機に係わり、より詳細には電装部品の放熱効果を向上させる構造に関する。
【背景技術】
【０００２】
従来、空気調和機は屋外に設置される室外機と屋内の天井や壁面に設置される室内機とで構成され、室外機と室内機とは冷媒配管で接続されている。室外機内部は、底板に取り付けられた仕切板によって、熱交換器や送風ファン等が設置された送風機室と、底板に圧縮機やアキュムレータが備えられた機械室とに区画されている。そして機械室には圧縮機や送風ファン等の装置に駆動電力を供給する電源装置や室外機の運転を制御する制御基板等の電装部品を備えた電装品ユニットが圧縮機やアキュムレータの上方に配置されている。
【０００３】
電装部品は発熱する部品であり、電装部品の発熱を放熱するために機械室の外胴には外気を取り込む吸気孔が設けられ、仕切板には取り込んだ外気を送風機室側へ排気する排気孔が設けられ、これらをつなぐ通風経路が形成されている。（例えば、特許文献１参照）
【０００４】
また圧縮機の周囲には、振動による騒音を低減するためにフェルトシート等による防音材が配置されている。（例えば、特許文献２参照）
【先行技術文献】
【特許文献】
【０００５】
【特許文献１】特開２０１４−１０５９４８号公報
【特許文献２】特開２０１４−１１９１４８号公報
【発明の概要】
【発明が解決しようとする課題】
【０００６】
機械室の外胴に設けた吸気孔と圧縮機は距離を空けて設置されているが、経年変化等により防音材の形状が変容して吸気孔を塞ぐことがある。吸気孔が塞がれると電装部品の発熱が放熱できないことで電装部品の故障に繋がる虞がある。
【０００７】
本発明の目的は、電装部品の発熱を放熱する通風経路を確保することである。
【課題を解決するための手段】
【０００８】
上記目的を達成するために本発明は、外胴と、前記外胴の内部に配置され防音材が巻かれた圧縮機およびまたはアキュムレータと前記外胴の内部の上部に配置された電装品ユニットを有し、前記外胴には前記電装品ユニットの発熱を放熱するための通風経路に外気を取り込む吸気孔を設けた空気調和機の室外機において、前記吸気孔の両脇には、前記外胴の内部に向かって突出する絞り部を設けたことを特徴とする。
【０００９】
また、前記絞り部は上下方向に延在し、前記絞り部は前記外胴の内部に前記吸気孔よりも突出していることも含まれる。
【発明の効果】
【００１０】
本発明によれば、電装品ユニットの発熱を放熱するための通風経路に外気を取り込む吸気孔の両脇に外胴の内部に突出する絞り部を設けたことで、経年変化等により形状が変容する防音材で吸気孔が閉塞されることを防止できて通風経路を確保できる。
【図面の簡単な説明】
【００１１】
【図１】本発明による空気調和機の室外機の正面図である。
【図２】本発明による空気調和機の室外機の背面図である。
【図３】本発明による空気調和機の室外機の内部機構を示す図である。
【図４】吸気孔を示す図で（ａ）は図２のＡ−Ａ拡大断面図で、（ｂ）は図２のＢ−Ｂ拡大断面図である。
【発明を実施するための形態】
【００１２】
以下、本発明を実施するための形態を、添付図面に基づいた実施例として詳細に説明するが、本発明はこれに限定されるものではない。
【００１３】
本発明による空気調和機の室外機１は、図１ないし図３に示すように外郭を構成する外胴１０が略直方体形状である。外胴１０は底板１１と底板１１に立設された前面パネル１２と設置時やメンテナンス時には取り外すことができるメンテナンスパネル１３と背面パネル３０と、前面パネル１２とメンテンスパネル１３と背面パネル３０との天井を覆う天板１４とからなる。これらは鋼板材をプレス加工して形成される。前面パネル１２には送風ファン４１から吹き出される空気を吹き出す吹出口１５が開口し、この吹出口１５はファンガード１６で覆われている。背面パネル３０の下部には後述する機械室５に外気を取り込む吸気孔３１が設けられている。
【００１４】
尚、以下、図１において前面パネル１２とメンテンスパネル１３のある面を前面とし、前面から見て前面パネル１２側の側面を左側面とし、メンテンスパネル１３のある側を右側面とし、図２において吸気孔３１のある面を背面として以下説明する。よって、メンテンスパネル１３は前面から右側面の一部までを覆い、背面パネル３０はメンテナンスパネル１３に右側面で当接して背面の一部までを覆い、図示しないが前面パネル１２は左側面の前面側まで回り込み、左側面と背面の角隅は支柱１７により支えられている。
【００１５】
外胴１０の内部は、図３に示すように、底板１１に立設し一辺を前面パネル１２に固定し天板１４までの高さを有する仕切板１８と、底板１１に立設し一辺を仕切板１８に固定し、もう一辺を背面パネル３０に固定した熱交換器側板１９により、送風機室４と機械室５とに区画されている。
【００１６】
送風機室４内には、左側面から背面に掛けてＬ字状に曲がった熱交換器４２が左側面と背面の吸込口２０に露出するように配置される。熱交換器４２は底板１１に立設した熱交換器側板１９で支えられ底板１１に固定される。送風機室４内の中央で熱交換器４２の前面側には、底板１１に立設し上端を前面パネル１２と熱交換器４２に跨って固定されたモータ取付台４３に図示しないファンモータが固定され、前面パネル１２の吹出口１５に対向する位置でファンモータの軸に送風ファン４１が軸支される。
【００１７】
以上の構成により、吸込口２０と熱交換器４２と送風ファン４１と吹出口１５を結ぶ送風路４４が形成され、送風ファン４１の回転により吸込口２０から吸い込まれた空気は、熱交換器４２で冷媒と熱交換した後に、送風路４４を通り吹出口１５から外部へ吹き出される。
【００１８】
機械室５内には、図３に示すように底板１１上に圧縮機５１とアキュムレータ５２が取り付けられている。また圧縮機５１とアキュムレータ５２と四方弁と閉鎖弁を繋ぐ冷媒配管（いずれも図示なし）が配置されている。また圧縮機５１とアキュムレータ５２の周囲には、断熱目的および振動による騒音を低減するためにフェルトシートによる防音材５３が巻かれている。
【００１９】
外胴１０の機械室５の上部には電装品ユニット６が配置されている。電装品ユニット６はメンテナンスパネル１３の背面側と仕切板１８の機械室５側の面に設けた各種電装部品６０とからなる。電装部品６０にはメンテナンスパネル１３側に圧縮機５１や接続された室内機を制御するための各種電子部品が実装されたメイン制御基板６１と、仕切板１８の側面に配置されたインバーター基板６２と、インバーター基板６２の上に配置されたパワーモジュール６３と、仕切板３の背面側に配置されたチョークコイル６４等がある。電装品ユニット６の上面は、蓋状の電装品ユニット蓋６５で覆われている。電装品ユニット蓋６５の内側には図示しないシール部材が一体的に貼り着けられ電装品ユニット６内への雨水の侵入を防いでいる。
【００２０】
電装部品６０はパワーモジュール６３やチョークコイル６４等の発熱する部品が多く、インバーター基板６２はヒートシンク６６を備え、ヒートシンク６６は仕切板１８に設けた図示しない開口部から送風機室４側に臨んで送風路４４内に配置される。送風ファン４１に導かれ熱交換器４２を通って導入された外気の一部がヒートシンク６６に当たることでインバーター基板６２が冷却される。
【００２１】
インバーター基板６２を含む発熱する電装部品６０の放熱のために、仕切板１８の側面にはパワーモジュール６３の横に電装品ユニット６内の熱を送風機室４側へ排出する排気孔６７が設けられている。排気孔６７の送風機室４側には排気孔６７から電装品ユニット６内に雨水やドレン水の侵入を防ぐ箱状の遮水蓋６８が設けられている。
尚、電装品ユニット６は放熱用の外気を導入する導入孔とその外気を排出する排出孔を設けた箱の中に電装部品６０を収容したものでもよい。
【００２２】
送風ファン４１の回転により背面パネル３０に設けた吸気孔３１から取り込まれた外気Ｓ１は上昇して通風経路Ｓ２を通り、電装部品６０の発熱を取り込み排気孔６７から遮水蓋６８を通り送風機室４へ排気される。
【００２３】
図４を合わせて参照して吸気孔３１は、背面パネル３０の背面から機械室５内部に向かって突出するようにプレス加工により形成される長方形状の凹部であって、下端にせん断によって開口された開口部３１１が設けられ、ここから外気Ｓ１を取り込む。吸気孔３１は上下方向に連続して複数個形成される。
【００２４】
吸気孔３１の両脇にはそれぞれ絞り部３２を設ける。絞り部３２は背面パネル３０から機械室５内部に向かって突出するようにプレス加工により形成される上下向に延在する凹部である。絞り部３２が外胴１０の内部に突出する奥行寸法Ｄ２は吸気孔３１が外胴１０の内部に突出する奥行寸法Ｄ１よりも大きく形成されている。絞り部３２の下端は最下段の吸気孔３１よりも下方に設けられ、下端から上端までの高さＨ２は、複数個連続した吸気孔３１の高さＨ１よりも長く形成される。
【００２５】
また図２では高さＨ２≧高さＨ１であるが、高さＨ１は内部の防音材５３の高さよりも長く形成してもよい。
【００２６】
絞り部３２は、経年変化等により形状が変容した防音材５３が吸気孔３１を閉塞することがないように吸気孔３１の両脇で防音材５３を支えるため、吸気孔３１の通風経路Ｓ２が確保でき、電装部品６０の放熱が妨げられることがなくなる。
【符号の説明】
【００２７】
１：空気調和機の室外機、１０：外胴、１３：底板、１８：仕切板
３０：背面パネル、３１：吸気孔、３２：絞り部
４：送風機室、４１：送風ファン、４２：熱交換器
５：機械室、５１：圧縮機、５２：アキュムレータ、５３：防音材
６：電装品ユニット、６０：電装部品
Ｓ１：外気、Ｓ２：通風経路、Ｈ１／Ｈ２：奥行寸法、Ｄ１／Ｄ２：高さ
【図１】
2017106687.tif 000003
【図２】
2017106687.tif 000004
【図３】
2017106687.tif 000005
【図４】
2017106687.tif 000006